(57)【要約】      （修正有）【課題】複数のプラスチックフィルム製収容袋をコンパクトに携帯でき、かつ必要な時に一枚ずつ使用することを可能とする携帯プラスチックフィルム製収容袋ユニットを提供する。【解決手段】複数枚のプラスチックフィルム製収容袋をそれぞれ４角形に折りたたんで、上下に積層した複数枚のプラスチックフィルム製収容袋からなる積層体４と、前記積層体４を内部に収容・被覆するプラスチック製収容カバー２とからなり、前記プラスチック製収容カバー２には前記プラスチックフィルム製収容袋を一枚ずつ取り出すことを可能とする開口部５が設けられている。プラスチックフィルム製収容袋としては、スーパー、コンビニ等で用いられるレジ袋等があり、携帯プラスチックフィルム製収容袋ユニット１は複数のレジ袋等をコンパクトな簡便な形で携帯して、必要な時に必要な枚数取り出して使用することを可能とする。【選択図】図２
0003151515.tif 000002
【実用新案登録請求の範囲】
【請求項１】
複数枚のプラスチックフィルム製収容袋をそれぞれ４角形に折りたたんで、上下に積層した複数枚のプラスチックフィルム製収容袋からなる積層体と、前記積層体を内部に収容・被覆するプラスチック製収容カバーとからなり、前記収容カバーには前記プラスチックフィルム製収容袋を一枚ずつ取り出すことを可能とする開口部が設けられている、携帯プラスチックフィルム製収容袋ユニット。
【請求項２】
前記開口部が前記収容カバーの片面中央部に長手方向に設けられた直線状のミシン目を有し、使用開始時に前記ミシン目に沿って前記収容カバーを開口することによって、前記プラスチックフィルム製収容袋を一枚ずつ取り出すことを可能とする、請求項１に記載の携帯プラスチックフィルム製収容袋ユニット。
【請求項３】
前記開口部が前記収容カバーの片面の一端部近傍に設けられた湾曲状のミシン目を有し、使用開始時に前記ミシン目に沿って前記収容カバーを開口することによって、前記プラスチックフィルム製収容袋を一枚ずつ取り出すことを可能とする、請求項１に記載の携帯プラスチックフィルム製収容袋ユニット。
【請求項４】
前記開口部が使用時に開き使用後には閉めることができる粘着部付蓋部からなっている、請求項１に記載の携帯プラスチックフィルム製収容袋ユニット。
【請求項５】
前記収容カバーは、前記積層体の両端部から外方へ出る幅の幅広のプラスチック製収容カバーシートからなり、前記プラスチック製収容カバーシートの中央部に複数枚のプラスチックフィルム製収容袋からなる積層体を置き、プラスチック製収容カバーシートの上方部をプラスチック製収容カバーシート中央部上の積層体へと折り返し、残りのプラスチック製収容カバーシートの下方部を折り返した上方部の上に折り返し、最後に折り重ねたプラスチック製収容カバーシートの両端部を熱融着・封止して、携帯プラスチックフィルム製収容袋ユニットを形成することを特徴とする、請求項１乃至４のいずれか一項に記載の携帯プラスチックフィルム製収容袋ユニット。
【請求項６】
プラスチックフィルムのプラスチック材料にナノハイブリッドカプセルを混入して強度を向上させ厚みを減少させた、請求項１乃至４のいずれか一項に記載の携帯プラスチックフィルム製収容袋ユニット。
【請求項７】
プラスチックフィルムのプラスチック材料にナノハイブリッドカプセルを混入して強度を向上させ厚みを減少させた、請求項５に記載の携帯プラスチックフィルム製収容袋ユニット。
【考案の詳細な説明】
【技術分野】
【０００１】
本考案は、複数枚のプラスチックフィルム製収容袋をそれぞれ４角形に折りたたんで、上下に積層し、プラスチック製収容カバーにより収容・被覆し、前記プラスチックフィルム製収容袋を一枚ずつ取り出すことを可能とする携帯プラスチックフィルム製収容袋ユニットに関する。
【背景技術】
【０００２】
現在、社会全体としてCO２及びゴミの排出量を削減し、消費エネルギー及び消費資源の削減等環境問題全般への関心が高くなっており、昨今スーパー等でレジ袋の有料化が推進され、不織布等の素材からなるマイバック等の使用が推奨されている。しかしながら、このようなマイバック等の使用の浸透は不十分であり、実際の日々の消費活動の中で目的買いである食料品の購入以外ではまだマイバックを持参している人は少ない。現状では、ポリエチレン製又は紙袋を商品購入時に使用しており、総量的にはレジ袋使用量は微減に過ぎない。
【０００３】
一方、ナノハイブリッドカプセルをレジ袋に入れて強度を高め原材料のポリエチレンの使用量を低減する試みはなされているが、レジ袋の原材料であるポリエチレンの10倍以上のコストがかかる為、スーパー等の小売業界やレジ袋専門メーカーは導入する事に躊躇しており、環境保全商品であるにも関わらず市場に大規模に広める事が出来ていない。
【０００４】
なお、上記ナノハイブリッドカプセル（「ナノカプセル」ともいう）の構造は、造核効果がある "リン脂質" でカプセルを作り、その内部に酸素吸着剤である "金属ポルフィリン" を内包したものが基本構造である。このナノハイブリッドカプセルを樹脂 (PE、PP など) に練り込んで、レジ袋の原材料として使用する。
【考案の概要】
【考案が解決しようとする課題】
【０００５】
本考案は、レジ袋等のプラスチックフィルム製収容袋の利便性を鑑みて、複数のプラスチックフィルム製収容袋をコンパクトに携帯でき、かつ必要な時に一枚ずつ使用することを可能とする携帯プラスチックフィルム製収容袋ユニットを提供することを目的とする。
【課題を解決するための手段】
【０００６】
（１）  本考案は、  複数枚のプラスチックフィルム製収容袋をそれぞれ４角形に折りたたんで、上下に積層した複数枚のプラスチックフィルム製収容袋からなる積層体と、前記積層体を内部に収容・被覆するプラスチック製収容カバーとからなり、前記収容カバーには前記プラスチックフィルム製収容袋を一枚ずつ取り出すことを可能とする開口部が設けられている、携帯プラスチックフィルム製収容袋ユニットに関するものである。
【０００７】
以下に、本考案の携帯プラスチックフィルム製収容袋ユニットの好適な実施態様を挙げる。
（２）  前記開口部が前記収容カバーの片面中央部に長手方向に設けられた直線状のミシン目を有し、使用開始時に前記ミシン目に沿って前記収容カバーを開口することによって、前記プラスチックフィルム製収容袋を一枚ずつ取り出すことを可能とする。
（３）  前記開口部が前記収容カバーの片面の一端部近傍に設けられた湾曲状のミシン目を有し、使用開始時に前記ミシン目に沿って前記収容カバーを開口することによって、前記プラスチックフィルム製収容袋を一枚ずつ取り出すことを可能とする。
【０００８】
（４）  前記開口部を使用時に開き使用後には閉めることができる粘着部付蓋部とする。
（５）  前記収容カバーは、前記積層体の両端部から外方へでる幅の幅広のプラスチック製収容カバーシートからなり、前記プラスチック製収容カバーシートの中央部に複数枚のプラスチックフィルム製収容袋からなる積層体を置き、プラスチック製収容カバーシートの上方部を中央部上の積層体へと折り返し、残りの下方部を折り返した上方部の上に折り返し、最後に折り重ねた両端部を熱融着・封止して、携帯プラスチックフィルム製収容袋ユニットを形成する。
（６）  プラスチックフィルムのプラスチック材料にナノハイブリッドカプセルを混入して強度を向上させ厚みを減少させる。
【考案の効果】
【０００９】
レジ袋を一枚一枚分離して折り畳み且つ取り出した際に、外袋が保護的な役割をし、中の複数枚レジ袋が1枚取り出した際にバラバラにならないように連続性をもたすことによって、レジ袋の取りやすさを向上し、かつ折り畳んだサイズを小さくまとめる事で、かばんやポケットや車の中等保管しやすくなり、使用者にとって利用頻度が向上するという効果がある。また一般店での購買時に本商品を携帯している消費者にこの袋を利用してもらう事で、小売店舗の費用負担減及び省資源化にもつながる。
【００１０】
さらに、ナノハイブリッドカプセル（Ｅ−Ｂａｓｉｃ社製造）を従来のプラスチック材料に添加することによって、袋強度を向上でき、袋の厚さを減少させ、プラスチックフィルム性収容袋の総重量も低減でき、それによって燃焼焼却時に発生する二酸化炭素の量を削減できる。また、生分解性機能をもたせることによって、多大な環境保全効果が得られる。
【図面の簡単な説明】
【００１１】
【図１】複数枚のプラスチックフィルム製収容袋をそれぞれ４角形に折りたたんで、上下に積層した複数枚のプラスチックフィルム製収容袋からなる積層体を内部に収容・被覆したプラスチック製収容カバーとからなる、中央にミシン目の開口部を有する本考案の一実施態様の携帯プラスチックフィルム製収容袋ユニットの斜視図である。
【図２】（ａ）は携帯プラスチックフィルム製収容袋ユニットの模式的平面図であり、（ｂ）はその模式的底面図であり、（ｃ）は図２（ｂ）のＩＩｃ−ＩＩｃ線で切った携帯プラスチックフィルム製収容袋ユニットの模式的断面図である。
【図３】（ａ）は細長のプラスチック製収容カバーシート３の中央部に複数枚のプラスチックフィルム製収容袋からなる積層体４を置いた状態を模式的に示す平面図であり、（ｂ）は上部のプラスチック製収容カバーシート３を積層体４とプラスチックフィルム中央部へと折り返した状態を示す平面図であり、（ｃ）は残りのプラスチック下方部を上方に折り返した状態を示す平面図であり、（ｄ）は折り重ねたプラスチック製収容カバーシートの両端部を熱融着・封止して、携帯プラスチックフィルム製収容袋ユニットを形成した状態を示す平面図である。広告シートを入れる場合には、図３（ａ）において、プラスチック製収容カバーシート3の上で積層体４の下に入れる（図２（ｃ））。
【００１２】
【図４】（ａ）はプラスチックフィルム製収容袋ユニットの平面図であり、（ｂ）はその右半分を左半分上に折り重ねた状態の平面図であり、（ｃ）は（ｂ）のものの上半分を下半分に折り重ね合わせた状態の平面図であり、（ｄ）は（ｃ）のものの上１／３部分を中央１／３部分に折り重ねた状態を示し、（ｅ）は（ｄ）のものの下１／３部分を中央１／３部分に折り重ねた状態を示す。
【図５】前記収容カバーの片面の一端部近傍に設けられた湾曲状のミシン目からなる開口部を有する本考案の別の実施態様の携帯プラスチックフィルム製収容袋ユニットの模式的平面図を示す。
【図６】前記収容カバーの片面の一端部近傍に設けられ、使用時に開き使用後には閉めることができる粘着部付蓋部からなる開口部を有する、本考案のさらに別の実施態様の携帯プラスチックフィルム製収容袋ユニットの模式的平面図を示す。
【図７】本考案において用いることができる別のプラスチックフィルム製収容袋の模式的平面図である。
【図８】本考案において用いることができるさらに別のプラスチックフィルム製収容袋の模式的平面図である。
【考案を実施するための形態】
【００１３】
以下に、本考案を添付図面に基づいて詳細に説明する。
図１は、一実施態様の携帯プラスチックフィルム製収容袋ユニット１の斜視図である。携帯プラスチックフィルム製収容袋ユニット１において、プラスチック製収容カバー２の内部に複数枚のプラスチックフィルム製収容袋からなる積層体４（図２（ｃ）参照）が収容・被覆されている。複数枚のプラスチックフィルム製収容袋は、それぞれ４角形に折りたたまれ、上下に積層されて複数枚のプラスチックフィルム製収容袋からなる積層体を形成している。中央にはミシン目の開口部５を有する。図１において、６，６は、プラスチック製収容カバー２の両端の熱融着・封止部を示す。
【００１４】
図２（ａ）は、携帯プラスチックフィルム製収容袋ユニット１の模式的平面図であり、（ｂ）はその模式的底面図であり、（ｃ）は図２（ｂ）のＩＩｃ−ＩＩｃ線で切った携帯プラスチックフィルム製収容袋ユニットの模式的断面図である。携帯プラスチックフィルム製収容袋ユニット１の積層体は、５枚のプラスチックフィルム製収容袋４−１、４−２、４−３、４−４、４−５からなっている。図２（ｂ）における７は、プラスチックフィルムで複数枚のプラスチックフィルム製収容袋からなる積層体４を包み込んだときに現れる包み込み端部で、携帯プラスチックフィルム製収容袋ユニットの開口部を形成している。図２（ｃ）において、Aは広告シートを示す。
【００１５】
図３は、プラスチック製収容カバーシートの内部に複数枚のプラスチックフィルム製収容袋からなる積層体４（図２（ｃ）参照）を収容・被覆する方法を模式的に示す。前記収容カバーは、前記積層体の両端部から外方へ出る幅の幅広のプラスチック製収容カバーシート３からなり、前記プラスチック製収容カバーシート３の中央部に複数枚のプラスチックフィルム製収容袋からなる積層体４を置き（図３（ａ））、プラスチック製収容カバーシート３の上方部をプラスチック製収容カバーシート中央部上の積層体４へと折り返し（図３（ｂ））、残りのプラスチック製収容カバーシート３の下方部を折り返した上方部の上に折り返し（図３（ｃ））、最後に折り重ねたプラスチック製収容カバーシートの両端部を熱融着・封止して（図３（ｄ）の６）、携帯プラスチックフィルム製収容袋ユニットを形成する（図３（ｄ））。
【００１６】
図４は、プラスチック製収容袋の一例を示し、  プラスチック製収容カバーに収容されるためにプラスチック製収容袋を折り畳む方法を示す。図４（ａ）に示すように、プラスチック製収容袋は上部に開口部８を有する収容袋本体９と、収容袋本体９の上端左右端部に連続して設けられた取手部１０とからなり、プラスチック製収容袋はプラスチックシートにより形成されている。図中において２点鎖線は折り返し線を示す。まず、プラスチックフィルム製収容袋の右半分を左半分上に折り重ね（図４（ｂ））、次に折り重ねたものの上半分を下半分に折り重ね（図４（ｃ））、上下に折り重ねたものの上１／３部分を中央１／３部分に折り重ね（図４（ｄ））、さらに下１／３部分を中央１／３部分に折り重ねる（図４（ｅ））。このように折り畳んだ複数のプラスチックフィルム製収容袋を積層すると、図２（ｃ）に示す積層体４となる。
【００１７】
図５及び図６は、さらに本考案の別の実施態様の携帯プラスチックフィルム製収容袋ユニットを模式的に示す平面図である。図５の携帯プラスチックフィルム製収容袋ユニットでは、前記収容カバーの片面の一端部近傍に設けられた湾曲状のミシン目１１からなる開口部を有し、使用時にミシン目１１で開口してプラスチックフィルム製収容袋を取り出す様になっている。図１乃至図４の携帯プラスチックフィルム製収容袋ユニットでは、中央部にミシン目による開口部を設けた場合に比較して、図５に示すように開口部を収容カバーの片面の一端部近傍に設けられた湾曲状のミシン目から形成する場合にはより簡便に開口部を開くことが可能となる。
【００１８】
図６の携帯プラスチックフィルム製収容袋ユニットでは、前記収容カバーの片面の一端部近傍に設けられ、使用時に開き使用後には閉めることができる粘着部１３を裏面に付けた蓋部１２からなる開口部を有する。このようにすることによって、使用開始後においても、適時内部のプラスチックフィルム製収容袋を収容カバーによって保護することができ、また収容カバーを強度の高い材料で形成することによって、初めに収容していたプラスチックフィルム製収容袋を使いきってしまった後でも、プラスチックフィルム製収容袋を折り畳んで収容させることによって携帯プラスチックフィルム製収容袋ユニットを再生使用することが可能となる。
【００１９】
図７と図８は、本考案で用いられるプラスチックフィルム製収容袋の別の態様を示す。図７は、収容袋本体の中央上端部にタブ１４を設けたもので、買物品を収容袋に収容した後に両タブを結んで開口部を狭くするために用いる。図８は、左右上端部の取手部を設けずに、プラスチックフィルム製収容袋の上端部近傍に穴部１５を設け、取手部を形成している。
【００２０】
プラスチックフィルム製収容袋としては、従来のいわゆるレジ袋に用いられているプラスチック材料を用いることができる。さらに、ナノハイブリッドカプセルを従来のプラスチック材料に添加することによって、袋強度を向上でき、袋の厚さを減少させ、それによって燃焼焼却時に発生する二酸化炭素の量を削減できる。例えば、ナノハイブッリドカプセル（Ｅ−Ｂａｓｉｃ社製造）をプラスチックフィルム製収容袋に総重量の3％添加させる事で、収容袋強度の向上によりプラスチックフィルム製収容袋の重量を最大30％削減することが可能となり、且つ燃焼焼却時に発生する二酸化炭素を約40％削減することが可能となり、最大従来比70％の二酸化炭素を削減する事が可能となる。本考案において、ナノハイブリッドカプセルとしては市販のものを使用する。例えば、市販のE-Basic社のナノハイブリッドカプセル２を用いることができる。ナノハイブッリドカプセル２（Ｅ−Ｂａｓｉｃ社製造）を混入したプラスチックによってプラスチックフィルム製収容袋を製造することによって、ＣＯ２及びゴミの排出量を削減できるので、消費エネルギー及び消費資源の削減等環境問題全般に取り組む本考案の目的に特に適合し、好ましい。
【００２１】
以下に、本考案で好適に用いられるプラスチックフィルム製収容袋を挙げる。
（１）  プラスチックフィルム製収容袋
１．主材料：高密度ポリエチレン／低密度ポリエチレン  80〜90％
（ＨＤＰＥ／ＬＤＰＥ）
２．顔料  ：各色          5％〜8％
３．炭酸カルシウム：      数％
４．ナノハイブリッドカプセル２：   3％  
（Ｅ−Ｂａｓｉｃ社製）
（２）  収容カバー
主材料：ポリエチレン／延伸ポリプロピレン／未延伸ポリプロピレン／ＰＥＴ等の透明樹脂素材（ＰＥ/OPP/CPP/PET等の透明樹脂素材）
【００２２】
プラスチックフィルム製収容袋に対して上記材料を用いることによって、下記の効果が得られる。
１．強度が向上するので、プラスチックフィルム製収容袋の重量の最大30％を削減できる。
2．プラスチックフィルム製収容袋の重量を削減できるので、燃焼焼却時に発生する二酸化炭素を約40％削減することができる。
３．生分解性機能
【００２３】
従来の包装材メーカーが確立しているレジ袋市場はコストありきになっているので、従来のレジ袋に対して、環境配慮型の添加剤（例：ナノハイブリッドカプセル）を添加したレジ袋の導入は遅れている。環境に配慮した本考案の携帯プラスチックフィルム製収容袋セットを広め、携帯プラスチックフィルム製収容袋セットの裏面の開口収容部に企業広告等を収容可能とすることにより、既存レジ袋市場以外の広告媒体市場からこの環境配慮型レジ袋を市場に認知させ、企業の社会的貢献宣伝にも寄与することができる。
【産業上の利用可能性】
【００２４】
本考案に係る携帯プラスチックフィルム製収容袋ユニットは、スーパーやコンビニで買い物等をする場合に簡便に使用でき、産業の利用可能性は大である。
【符号の説明】
【００２５】
１    携帯プラスチックフィルム製収容袋ユニット
２    プラスチック製収容カバー
３    プラスチック製収容カバーシート
４    プラスチックフィルム製収容袋積層体
４−１，４−２，４−３，４−４，４−５    プラスチックフィルム製収容袋
５    ミシン目線
６    熱融着
７    巻き付け端部
８    プラスチック製収容袋の上部開口部
９    プラスチック製収容袋本体
１０    取手部
１１    ミシン目
１２    蓋部
１３    粘着部
１４    タブ
１５    穴部
【図１】
0003151515.tif 000003
【図２】
0003151515.tif 000004
【図３】
0003151515.tif 000005
【図４】
0003151515.tif 000006
【図５】
0003151515.tif 000007
【図６】
0003151515.tif 000008
【図７】
0003151515.tif 000009
【図８】
0003151515.tif 000010